(57)【要約】【課題】デジタル映像コンテンツの映像を表示する場合、デジタル映像コンテンツデータの受信状況の悪化により、ブロックノイズの発生、映像の停止などが発生する。しかしながら、このような症状は従来のアナログＴＶでは発生しなかった症状でユーザーに不快感を与える。【解決手段】パケットロス検出部１０１がパケットロスを検出した場合、パケットロス検出を映像切替部１０５に通知し、映像切替部１０５は映像ソースをアナログノイズ付加部１０４から出力された映像に切り替える事でブロックノイズを発生させる事無く、従来のアナログＴＶと同じようなノイズを発生させる事によりユーザーの不快感を低減する。【選択図】図１
2010074332.tif 000002
【特許請求の範囲】
【請求項１】
入力される符号化データのパケットロスを検出し、前記パケットロスを検出した符号化データに対して、復号後、アナログノイズを付加することを特長とするデジタル映像ノイズ変換装置。
【請求項２】
入力される符号化データに含まれる識別ＩＤやタイムスタンプ情報などにより、前記符号化データのパケットロスを検出し、パケットロス情報を出力するパケットロス検出手段と、
前記符号化データを復号化する復号処理手段と、
前記復号処理手段より出力された復号データを１フレーム分保持する映像フレーム保持手段と、
前記映像フレーム保持手段が保持する復号データにアナログノイズを付加するアナログノイズ付加手段と、
前記パケットロス検出部のパケットロス情報に応じて、前記映像復号処理手段から出力される復号データと前記アナログノイズ付加手段から出力されるデータのいずれかを選択する映像切替手段とを備えた事を特長とするデジタル映像ノイズ変換装置。
【請求項３】
前記パケットロス検出手段はパケットロスの発生回数をカウントし、前記パケットロスの発生回数により、前記映像切替を実行することを特長とする請求項２に記載のデジタル映像ノイズ変換装置。
【請求項４】
前記パケットロス検出部はパケットロスの発生回数により、前記アナログノイズ付加手段に対して、アナログノイズの付加レベルを設定し、付加レベルに応じて、アナログノイズの与え方を切り替えることで、映像切替だけでなく、アナログノイズの付加レベルも変更することを特長とする請求項２に記載のデジタル映像ノイズ変換装置。
【請求項５】
デジタル映像放送波を受信する放送波受信手段と、
前記放送波受信処理部より出力された符号化データを復号化する復号処理手段と、
前記復号処理手段は復号処理のエラーを検出し、検出したエラー情報を出力する手段と、
前記復号処理部手段より出力された復号データを１フレーム分保持する映像フレーム保持手段と、
前記映像フレーム保持手段が保持する復号データにアナログノイズを付加するアナログノイズ付加手段と、
前記復号処理手段が出力したエラー情報に応じて、映像復号処理手段から出力される復号データとアナログノイズ付加手段から出力されるデータのいずれかを選択する映像切替手段とを備えた事を特長とするデジタル映像ノイズ変換装置。
【請求項６】
前記復号処理手段が出力するエラー情報は、エラーの発生回数により、前記映像切替を実行する事を特長とする請求項５に記載のデジタル映像ノイズ変換装置。
【請求項７】
前記復号処理手段が出力するエラー情報は、エラーの発生回数により、前記アナログノイズ付加手段に対して、アナログノイズの付加レベルを設定し、付加レベルに応じて、アナログノイズの与え方を切り替えることで、映像切替だけでなく、アナログノイズの付加レベルも変更することを特長とする請求項５に記載のデジタル映像ノイズ変換装置。
【請求項８】
請求項１〜７を組み合わせたデジタル映像ノイズ変換装置。
【発明の詳細な説明】
【技術分野】
【０００１】
本発明はデジタル映像コンテンツ表示装置におけるデジタル映像コンテンツデータのデータ損失、遅延等の受信状態の悪化によるブロックノイズ、映像停止等のデジタル映像コンテンツの異常再生発生時に関するものである。
【背景技術】
【０００２】
ネットワークを利用したデジタル映像コンテンツの通信が普及しつつある。しかしながら、ネットワーク経由にてデジタル映像コンテンツデータの転送が行われるデジタル映像コンテンツの再生においては、ネットワークの通信状態等により、デジタル映像コンテンツデータの遅延やパケットロスが発生し、映像が停止、又はブロックノイズが発生する。
【０００３】
同様に、デジタル放送においても、車載用などにおいては、受信状態の変化が激しく、放送波の瞬断などにより、映像が停止、又はブロックノイズが発生する。
【０００４】
パケットロスを検知した場合、パケットデータをダミーデータとして保持しておいて、保持していたダミーデータをパケットロスが発生したところに挿入し、映像信号処理部に渡す提案が特許文献１で記載されている。
【特許文献１】特開２００６−１４１５３号公報
【発明の開示】
【発明が解決しようとする課題】
【０００５】
しかしながら、ダミーデータは本来の映像データとは異なるため、正常に復号化する事ができず、結果、ブロックノイズが発生する。
【０００６】
このようにデジタル映像コンテンツのパケットデータの欠損が発生した場合、ブロックノイズなどを回避することは難しく、ブロックノイズのような現象は従来のアナログＴＶでは見られなかった現象で、従来のアナログＴＶ放送を見慣れてきたユーザーに不快感を与える。
【０００７】
本発明の目的は、上記課題を解決するために、パケットロスが発生した場合のユーザーへの不快感を低減させるデジタル映像ノイズ変換装置を提供することを目的とする。
【課題を解決するための手段】
【０００８】
本課題を解決するために、本発明は、入力される符号化データのパケットロスを検出し、前記パケットロスを検出した符号化データに対して、復号後、アナログノイズを付加することを特長とするものである。
【発明の効果】
【０００９】
本発明ではデジタル映像データのパケットデータの損失や復号処理においてエラーが発生し、正常に映像データを復号できない場合、従来のようにブロックノイズではなく、保持しておいた前回表示したフレームにアナログノイズ処理を与えて表示を行う事で、従来のアナログＴＶのようなノイズ映像を表示し、ユーザーの不快感を低減する事ができる。
【発明を実施するための最良の形態】
【００１０】
（実施の形態１）
図１は実施の形態１のデジタル映像ノイズ変換装置の基本構成を示したブロック図である。図１において、ネットワークＩ／Ｆ１００は、ＩＰネットワーク経由で送信される映像データの符号化データを受信し、パケットロス検出部１０１は、ネットワークＩ／Ｆ１００より受信した符号化データに含まれる識別ＩＤやタイムスタンプ情報を監視し、パケットロスの発生を検出し、映像復号処理部１０２は、パケットロス検出部１０１より受信した符号化データを復号し、映像フレーム保持部１０３は、映像復号処理部１０２が復号したデータを１フレーム分保持し、アナログノイズ付加部１０４は、映像フレーム保持部１０３が出力したデータにアナログノイズを付加し、映像切替部１０５は、パケットロス検出部１０１の指示に従って、映像復号処理部１０２が出力したデータとアナログノイズ付加部１０４が出力したデータのいずれかを選択して出力する。
【００１１】
図２は本実施の形態におけるデジタル映像変換装置の動作を示すフローチャートである。
【００１２】
以下、図１、図２を用いて本実施の形態のデジタル映像変換装置の動作を説明する。
【００１３】
ネットワークＩ／Ｆ１００は、ＩＰネットワーク経由で送信される映像データの符号化データを受信し、受信したデータをパケットロス検出部１０１に送信する（ステップＳ２００）。
【００１４】
パケットロス検出部１０１は、ネットワークＩ／Ｆ１００から受信した符号化データを全て映像復号処理部１０２に送信すると共に、ネットワークＩ／Ｆ１００より受信した符号化データに含まれる識別ＩＤやタイムスタンプ情報の監視を行い、パケットロスが発生していないかどうか監視する。パケットロス検出部１０１は、パケットロスを検出した場合は、映像切替部１０５にアナログノイズ付加部１０４が出力する映像データを選択するよう指示し、パケットロスが検出されなかった場合は、映像切替部１０５に映像復号処理部１０２が出力する映像データを選択するよう指示する（ステップＳ２０１）。なお、ネットワークＩ／Ｆ１００が受信したデータは、パケットロス検出部を介さずに、映像復号処理部１０２へ直接送信されてもよい。
【００１５】
映像復号処理部１０２は受信した符号化データを復号し、復号結果を映像切替部１０５へ出力すると共に、映像フレーム保持部１０３に送信する。
【００１６】
映像フレーム保持部１０３は、受信した映像フレームを１フレーム分保持する。映像フレーム保持部１０３は、新たに映像復号処理部１０２から復号結果を受信した時、保持している１フレーム分の映像フレームをアナログノイズ付加部１０４に送信し、新たに受信した映像フレームを保持する。
【００１７】
アナログノイズ付加部１０４は、映像フレーム保持部１０３より入力された映像フレームにアナログノイズを付加して、映像切替部１０５に出力する（ステップＳ２０２）。
【００１８】
映像切替部１０５は、映像復号処理部１０２からの指示が、映像復号処理部１０２が復号する映像データを出力する指示である場合は、映像復号処理部１０２が出力する映像データを選択し、アナログノイズ付加部１０４から出力される映像データを出力する指示である場合は、アナログノイズ付加部１０４から出力された映像データを選択して出力する（ステップＳ２０３、ステップＳ２０４）。
【００１９】
本実施の形態では、パケットロス検出部１０１が受信した符号データよりパケットロスを検出すると、映像切替部１０５にアナログノイズ付加部１０４が出力した映像データを出力させることにより、従来のアナログＴＶのようなノイズ映像を表示し、ユーザーの不快感を低減することができる。
【００２０】
（実施の形態２）
本実施の形態では、パケットロス発生回数に応じた処理を行う場合について説明する。
【００２１】
図３は、本実施の形態のデジタル映像ノイズ変換装置の基本構成を示したブロック図である。図３において、実施の形態１の図１と同じ動作を行う構成要素に関しては、同符号を付与し、説明を省略する。
【００２２】
図３において、パケットロス検出部３０１は、ネットワークＩ／Ｆ１００より受信した符号化データに含まれる識別ＩＤやタイムスタンプ情報の監視を行い、パケットロスが発生していないかどうか監視するパケットロス判定部３０６と、パケットロス発生回数保持部３０７で構成され、パケットロス判定部３０６が受信した符号化データにパケットロスがあることを検出した場合、パケットロス発生回数保持部３０７が保持しているパケットロス発生回数を１インクリメントし、符号データにパケットロスがない場合は、パケットロス発生回数保持部３０７が保持しているパケットロス発生回数をクリアする。
【００２３】
図４は、本実施の形態におけるデジタル変換映像装置の動作を示すフローチャートである。
【００２４】
以下、図３、図４を用いて本実施の形態におけるデジタル変換映像装置の動作を説明する。
【００２５】
まず、パケットロス判定部３０６は、符号化データ受信を開始する前に、パケットロス発生回数保持部３０７が保持しているパケットロス発生回数をクリアする（ステップＳ４００）。
【００２６】
次に、ネットワークＩ／Ｆ１００は、ＩＰネットワーク経由で送信される映像データの符号化データを受信し、受信したデータをパケットロス検出部３０１に送信する（ステップＳ４０１）。
【００２７】
パケットロス検出部３０１は、ネットワークＩ／Ｆ１００から受信した符号化データを全て映像復号処理部１０２に送信すると共に、ネットワークＩ／Ｆ１００より受信した符号化データに含まれる識別ＩＤやタイムスタンプ情報の監視を行い、パケットロスが発生していないかどうか監視する（ステップＳ４０２）。パケットロス検出部３０１は、パケットロスが検出されなかった場合は、映像切替部１０５に映像復号処理部１０２が出力する映像データを選択するよう指示する。
【００２８】
パケットロス検出部３０１は、パケットロスが検出された場合は、パケットロス発生回数保持部３０７が保持しているパケットロス発生回数を１インクリメントする（ステップＳ４０３）。パケットロス検出部３０１は、パケットロス発生回数保持部３０７が保持するパケットロス発生回数が所定の値以上かどうかを判断し、パケットロス発生回数が所定値以上の場合には、映像切替部１０５に対して、アナログノイズ付加部１０４から出力された映像データを選択するように指示し、パケットロス発生回数が所定値未満の場合には、映像切替部１０５に対して、映像復号処理部１０２が復号した映像データを選択するように指示する（ステップＳ４０４）。
【００２９】
アナログノイズ付加部１０４は、映像フレーム保持部１０３より入力された映像フレームにアナログノイズを付加して、映像切替部１０５に出力する（ステップＳ４０５）。
【００３０】
映像切替部１０５は、パケットロス検出部３０１からの指示が、映像復号処理部１０２が復号する映像データを出力する指示である場合は、映像復号処理部１０２が出力する映像データを選択し、アナログノイズ付加部１０４から出力される映像データを出力する指示である場合は、アナログノイズ付加部１０４から出力された映像データを選択して出力する。
【００３１】
パケットロス検出部３０１は、パケットロスが検出されなかった場合は、パケットロス発生回数保持部３０７が保持しているパケットロス発生回数をクリアし（ステップＳ４００に戻る）、パケットロスが検出された場合は、次の符号化データを受信する（ステップＳ４０１に戻る）。
【００３２】
なお、パケットロス発生回数は、映像の乱れに対してユーザーが不快感を感じる回数を実験等で統計的に求めて設定し、設定した回数を超えない場合は、映像の乱れがない又は少なく、ユーザーが不快感を感じることが少ないと判断し、そのままの映像を出力する。
【００３３】
本実施の形態によれば、パケットロス発生回数をカウントし、パケットロス発生回数が所定数をカウントした場合に、アナログノイズを付加するので、映像には影響のないパケットについてのパケットロスや映像に影響があっても大きなブロックノイズにならない場合等、映像として大きな影響が無い場合に、不必要にアナログノイズを与える事を低減する。                                                                                  
【００３４】
（実施の形態３）
本実施の形態では、連続するパケットロスの発生回数に応じて、映像データに付加するアナログノイズのレベルを変更する場合について説明する。
【００３５】
図５は本発明の実施の形態３のデジタル映像ノイズ変換装置の基本構成を示したブロック図である。図５において、図３に示す実施の形態２の構成要素と同じ動作を行う構成要素に関しては、同符号を付与し、説明を省略する。
【００３６】
図５において、パケットロス検出部５０１は、所定時間内に、パケットロス発生回数保持部３０７が保持するパケットロス発生回数をアナログレベル決定部５０７に出力し、アナログレベル決定部５０７が決定したアナログノイズの付加レベルをアナログノイズ付加部５０４に通知する。アナログレベル決定部５０７は、パケットロス検出部５０１より入力されたパケットロス発生回数よりアナログノイズの付加レベルを決定し、パケットロス検出部５０１に出力する。
【００３７】
本実施の形態のアナログレベル決定部５０７は、パケットロス発生回数とアナログノイズの付加レベルの対応表を保持し、対応表より、入力されたパケットロス発生回数に対応したアナログノイズを決定し、パケットロス検出部５０１に出力する。
【００３８】
なお、アナログレベル決定部５０７におけるアナログノイズの付加レベルの決定方法は、本実施の形態の方法に限定するものではなく、パケットロス発生回数より、アナログノイズの付加レベルが決定できるものであれば、どのような方法でもよい。例えば、所定の関係式で算出してもよい。
【００３９】
図６は、本実施の形態におけるデジタル変換映像装置の動作を示すフローチャートである。
【００４０】
以下、図５、図６を用いて本実施の形態におけるデジタル映像ノイズ変換装置の動作を説明する。
【００４１】
まず、パケットロス検出部５０１は、符号化データ受信を開始する前に、パケットロス発生回数保持部３０７が保持しているパケットロス発生回数をクリアする（ステップＳ６００）。
【００４２】
次に、ネットワークＩ／Ｆ１００は、ＩＰネットワーク経由で送信される映像データの符号化データを受信し、受信したデータをパケットロス検出部５０１に送信する（ステップＳ６０１）。
【００４３】
パケットロス検出部５０１は、ネットワークＩ／Ｆ１００より受信した符号化データに含まれる識別ＩＤやタイムスタンプ情報の監視を行い、パケットロスが発生していないかどうか監視する。パケットロス検出部５０１は、パケットロスを検出した場合は、映像切替部１０５にアナログノイズ付加部５０４が出力する映像データを選択するよう指示し、パケットロスが検出されなかった場合は、映像切替部１０５に映像復号処理部１０２が出力する映像データを選択するよう指示する（ステップＳ６０２）。
【００４４】
さらに、パケットロス検出部５０１は、パケットロスを検出した場合は、パケットロス発生回数保持部３０７が保持しているパケットロス発生回数を１インクリメントし、パケットロス発生回数保持部３０７が保持しているパケットロス発生回数をアナログレベル決定部５０７に出力する（ステップＳ６０３）。
【００４５】
アナログレベル決定部５０７は、入力されたパケットロス発生回数よりアナログノイズの付加レベルを決定し、パケットロス検出部５０１に出力する（ステップＳ６０４）。
【００４６】
パケットロス検出部５０１は、アナログレベル決定部５０７が決定したアナログノイズの付加レベルをアナログノイズ付加部５０４に通知する。なお、アナログノイズの付加レベルの通知方法は、付加レベルそのものを通知してもよいし、付加レベルを表す符号などを通知してもよく、付加レベルが特定できる方法であればよい。
【００４７】
アナログノイズ付加部５０４は、映像フレーム保持部１０３から受信した映像フレームデータに、パケットロス検出部５０１から受信したアナログノイズ付加レベルに応じたアナログノイズを付加し、映像切替部１０５に出力する（ステップＳ６０５）。
【００４８】
映像切替部１０５は、パケットロス検出部５０１からの指示が、映像復号処理部１０２が復号する映像データを出力する指示である場合は、映像復号処理部１０２が出力する映像データを選択し、アナログノイズ付加部５０４から出力される映像データを出力する指示である場合は、アナログノイズ付加部５０４から出力された映像データを選択して出力する（ステップＳ６０６、ステップＳ６０７）。
【００４９】
パケットロス検出部５０１は、パケットロスを検出しなかった場合は、パケットロス発生回数保持部３０７が保持しているパケットロス発生回数をクリアし（ステップＳ６００に戻る）、パケットロスが検出された場合は、次の符号化データを受信する（ステップＳ６０１に戻る）。
【００５０】
本実施の形態によれば、パケットロス発生回数に応じてアナログレベルを決定することにより、映像には影響のないパケットについてのパケットロスや映像に影響があっても大きなブロックノイズにならない場合等、映像として大きな影響が無い場合に、不必要にアナログノイズを与える事を低減する。  
【００５１】
（実施の形態４）
本実施の形態では、データがデジタル放送波である場合について説明する。
【００５２】
図７は本実施の形態におけるデジタル映像ノイズ変換装置の基本構成を示したブロック図である。
【００５３】
図７において、放送波受信処理部７００は、放送波を受信し映像復号処理部７０２に出力し、映像復号処理部７０２は、受信した放送波を復号し、復号結果を映像切替部７０５へ出力すると共に、映像フレーム保持部１０３に送信する。映像切替部７０５は、映像復号処理部７０２の指示に従って、映像復号処理部７０２が出力する映像データか、アナログノイズ付加部１０４が出力する映像データのいずれかを選択して出力する。
【００５４】
図８は本実施形態におけるデジタル映像ノイズ変換装置の動作を示すフローチャートである。
【００５５】
以下、図７、図８を用いて、本実施の形態のデジタル映像ノイズ変換装置の動作を説明する。
【００５６】
放送波受信処理部７００は、デジタル放送波として送信される映像データの符号化データを受信し、受信したデータを映像復号処理部７０２に送信する（ステップＳ８００）。
【００５７】
映像復号処理部７０２は放送波受信処理部７００より受信した符号化データを復号し、復号結果を映像切替部７０５へ出力すると共に、映像フレーム保持部１０３に送信する（ステップＳ８０１）。
【００５８】
映像復号処理部７０２は、映像データの符号化データを復号化する際、復号化処理結果も監視する。映像復号処理部７０２は、復号化処理にエラーが発生したことを検出した場合、映像切替部７０５に対して、アナログノイズ付加部１０４から出力された映像データを出力するように指示し、復号化処理エラーが検出されなかった場合は、映像復号処理部７０２が復号した映像データを出力するように指示する（ステップＳ８０２）。
【００５９】
映像フレーム保持部１０３は、映像復号処理部７０２より受信した映像フレームを１フレーム分保持する。新たに映像復号処理部７０２から復号結果を受信すると、保持している１フレーム分の映像フレームをアナログノイズ付加部１０４に送信し、新たに受信した映像フレームを保持する。
【００６０】
アナログノイズ付加部１０４は、映像フレーム保持部１０３から受信した映像フレームにアナログノイズを付加し、映像切替部７０５に出力する（ステップＳ８０３）。
【００６１】
映像切替部７０５は、映像復号処理部７０２からの指示が、映像復号処理部７０２が復号する映像データを出力する指示である場合は、映像復号処理部７０２が出力する映像データを選択し（ステップＳ８０５）、アナログノイズ付加部１０４から出力される映像データを出力する指示である場合は、アナログノイズ付加部１０４から出力された映像データを選択して出力する（ステップＳ８０４）。
【００６２】
本実施の形態によれば、復号化エラーが発生した場合でも、大きなブロックノイズにならない場合等、映像として大きな影響が無い場合に、不必要にアナログノイズを与える事を低減する。                                                                          
【００６３】
（実施の形態５）
本実施の形態では、復号化エラーの発生回数に応じた処理を行う場合について説明する。
【００６４】
図９は、本実施の形態のデジタル映像ノイズ変換装置の基本構成を示したブロック図である。図９において、実施の形態４の図７と同じ動作を行う構成要素に関しては、同符号を付与し、説明を省略する。
【００６５】
図９において、映像復号処理部９０２は、映像データの符号化データを復号化する際、復号化処理結果も監視し、復号化処理にエラーが発生したことを検出した場合、復号化エラー発生回数保持部９０６が保持している復号化エラー発生回数を１インクリメントし、復号化エラーがない場合は、復号化エラー発生回数保持部９０６が保持している復号化エラー回数をクリアする。
【００６６】
図１０は本実施形態におけるデジタル映像ノイズ変換装置の動作を示すフローチャートである。
【００６７】
以下、図９、図１０を用いて、本実施の形態のデジタル映像ノイズ変換装置の動作を説明する。
【００６８】
映像復号処理部９０２は、復号化エラー発生回数保持部９０６が保持している復号化エラー回数をクリアする（ステップＳ１０００）。
【００６９】
放送波受信処理部７００は、デジタル放送波として送信される映像データの符号化データを受信し、受信したデータを映像復号処理部９０２に送信する。映像復号処理部９０２は放送波受信処理部７００より受信した符号化データを復号し、復号結果を映像切替部７０５へ出力すると共に、映像フレーム保持部１０３に送信する（ステップＳ１００１、ステップＳ１００２）。
【００７０】
映像復号処理部９０２は、符号化データを復号化する際、復号化処理結果も監視し（ステップＳ１００３）、符号化処理にエラーが発生したことを検出した場合、復号化エラー回数保持部９０６が保持している復号化エラー発生回数を１インクリメントし（ステップＳ１００４）、復号化エラー発生回数保持部９０６が保持する復号化エラー発生回数が所定の値以上かどうか判断し、復号化エラー発生回数が所定の値以上の場合、映像切替部７０５に対して、アナログノイズ付加部１０４から出力された映像データを出力するように指示し、復号化処理エラーが検出されなかった場合は、映像切替部７０５に対して、映像復号処理部９０２が復号した映像データを出力するように指示する（ステップＳ１００５）。
【００７１】
アナログノイズ付加部１０４は、映像フレーム保持部１０３から受信した映像フレームにアナログノイズを付加し、映像切替部７０５に出力する（ステップＳ１００６）。
【００７２】
映像切替部７０５は、映像復号処理部９０２からの指示が、映像復号処理部９０２が復号する映像データを出力する指示である場合は、映像復号処理部９０２が出力する映像データを選択し（ステップＳ１００８）、アナログノイズ付加部１０４から出力される映像データを出力する指示である場合は、アナログノイズ付加部１０４から出力された映像データを選択して出力する（ステップＳ１００７）。
【００７３】
本実施の形態によれば、復号化エラーが発生した場合でも、大きなブロックノイズにならない場合等、映像として大きな影響が無い場合に、不必要にアナログノイズを与える事を低減する。                                                                          
【００７４】
（実施の形態６）
本実施の形態では、連続する復号化エラーの発生回数に応じて、映像データに付加するアナログノイズのレベルを変更する場合について説明する。
【００７５】
図１１は本実施の形態におけるデジタル映像ノイズ変換装置の基本構成を示したブロック図である。図１１において、実施の形態５の図９の構成要素と同じ動作を行う構成要素に関しては、同符号を付与し、説明を省略する。
【００７６】
図１１において、映像復号処理部１１０２は、所定時間内に、復号化エラー発生回数保持部９０６が保持する復号化エラー発生回数をアナログレベル決定部１１０７に出力し、アナログレベル決定部１１０７が決定したアナログノイズの付加レベルをアナログノイズ付加部１１０４に通知する。アナログレベル決定部１１０７は、映像復号処理部１１０２より入力された復号化エラー発生回数よりアナログノイズの付加レベルを決定し、映像復号処理部１１０２に出力する。
【００７７】
なお、アナログレベル決定部１１０７におけるアナログノイズの付加レベルの決定方法は、本実施の形態の方法に限定するものではなく、復号化エラー発生回数より、アナログノイズの付加レベルが決定できるものであれば、どのような方法でもよい。例えば、所定の関係式で算出してもよい。
【００７８】
図１２は、本実施形態におけるデジタル映像ノイズ変換装置の動作を示すフローチャートである。
【００７９】
以下、図１１、図１２を用いて、本実施の形態のデジタル映像ノイズ変換装置の動作を説明する。
【００８０】
まず、映像復号処理部１１０２は、デジタル放送波として送信される映像データの符号化データを受信を開始する前に、復号化エラー発生回数保持部９０６が保持している複合化エラー発生回数をクリアする（ステップＳ１２００）。
【００８１】
放送波受信処理部７００は、受信したデータを映像復号処理部１１０２に送信する。映像復号処理部１１０２は放送波受信処理部７００より受信した符号化データを復号し、復号結果を映像切替部７０５へ出力すると共に、映像フレーム保持部１０３に送信する（ステップＳ１２０１、ステップＳ１２０２）。
【００８２】
映像復号処理部１１０２は、符号化データを復号化する際、復号化処理結果も監視し、符号化処理にエラーが発生したことを検出した場合、映像切替部７０５に対して、アナログノイズ付加部１１０４から出力された映像データを出力するように指示し、復号化処理エラーが検出されなかった場合は、映像切替部７０５に対して、映像復号処理部１１０２が復号した映像データを出力するように指示する（ステップＳ１２０３）。
【００８３】
映像復号処理部１１０２は、復号化エラーを検出した場合は、復号化エラー発生回数保持部９０６が保持している復号化エラー発生回数を１インクリメントし、復号化エラー発生回数保持部９０６が保持している復号化エラー発生回数をアナログレベル決定部１１０７に出力する（ステップＳ１２０４）。
【００８４】
アナログレベル決定部１１０７は、入力された復号化エラー発生回数よりアナログノイズの付加レベルを決定し、映像復号処理部１１０２に出力する（ステップＳ１２０５）。映像復号処理部１１０２は、アナログレベル決定部１１０７が決定したアナログノイズの付加レベルをアナログノイズ付加部１１０４に通知する。なお、アナログノイズの付加レベルの通知方法は、付加レベルそのものを通知してもよいし、付加レベルを表す符号などを通知してもよく、付加レベルが特定できる方法であればよい。
【００８５】
アナログノイズ付加部１１０４は、映像フレーム保持部１０３から受信した映像フレームに映像復号処理部１１０２より受信したアナログノイズの付加レベルに応じたアナログノイズを付加し、映像切替部７０５に出力する（ステップＳ１２０６）。
【００８６】
映像切替部７０５は、映像復号処理部１１０２からの指示が、映像復号処理部１１０２が復号する映像データを出力する指示である場合は、映像復号処理部１１０２が出力する映像データを選択し（ステップＳ１２０８）、アナログノイズ付加部１１０４から出力される映像データを出力する指示である場合は、アナログノイズ付加部１１０４から出力された映像データを選択して出力する（ステップＳ１２０７）。
【００８７】
映像復号処理部１１０２は、パケットロスを検出しなかった場合は、復号化エラー発生回数保持部９０６が保持している復号化エラー発生回数をクリアし（ステップＳ１２００に戻る）、復号化エラーが検出された場合は、次の符号化データを受信する（ステップＳ１２０１に戻る）。
【００８８】
本実施の形態によれば、復号化エラー発生回数に応じてアナログレベルを決定することにより、復号化エラーが発生した場合でも、大きなブロックノイズにならない場合等、映像として大きな影響が無い場合に、不必要にアナログノイズを与える事を低減する。
【００８９】
本発明におけるアナログノイズ付加部で施されるアナログノイズはどんな方法でもよい。
【産業上の利用可能性】
【００９０】
本発明はＩＰネットワーク網及びデジタルＴＶ放送波等を使用して送信されるデジタル映像表示装置に利用できる。
【図面の簡単な説明】
【００９１】
【図１】本発明の実施の形態１におけるデジタル映像ノイズ変換装置の一構成例を示すブロック図
【図２】同デジタル映像ノイズ変換装置の動作を示すフローチャート
【図３】本発明の実施の形態２におけるデジタル映像ノイズ変換装置の一構成例を示すブロック図
【図４】同デジタル映像ノイズ変換装置の動作を示すフローチャート
【図５】本発明の実施の形態３におけるデジタル映像ノイズ変換装置の一構成例を示すブロック図
【図６】同デジタル映像ノイズ変換装置の動作を示すフローチャート
【図７】本発明の実施の形態４におけるデジタル映像ノイズ変換装置の一構成例を示すブロック図
【図８】同デジタル映像ノイズ変換装置の動作を示すフローチャート
【図９】本発明の実施の形態５におけるデジタル映像ノイズ変換装置の一構成例を示すブロック図
【図１０】同デジタル映像ノイズ変換装置の動作を示すフローチャート
【図１１】本発明の実施の形態６におけるデジタル映像ノイズ変換装置の一構成例を示すブロック図
【図１２】同デジタル映像ノイズ変換装置の動作を示すフローチャート
【符号の説明】
【００９２】
１００  ネットワークインタフェース
１０１、３０１、５０１  パケットロス検出部
１０２、７０２、９０２、１１０２  映像復号処理部
１０３  映像フレーム保持部
１０４、５０４、１１０４  アナログノイズ付加部
１０５、７０５  映像切替部
３０６  パケットロス判定部
３０７  パケットロス発生回数保持部
５０７  アナログレベル決定部
７００  放送波受信処理部
９０６  復号化エラー発生回数保持部
【図１】
2010074332.tif 000003
【図２】
2010074332.tif 000004
【図３】
2010074332.tif 000005
【図４】
2010074332.tif 000006
【図５】
2010074332.tif 000007
【図６】
2010074332.tif 000008
【図７】
2010074332.tif 000009
【図８】
2010074332.tif 000010
【図９】
2010074332.tif 000011
【図１０】
2010074332.tif 000012
【図１１】
2010074332.tif 000013
【図１２】
2010074332.tif 000014